(57)【要約】  【課題】  コストアップを抑えつつ記憶手段の大容量化を実現し、且つ振動等に対する信頼性を確保し得る遊技機を提供する。  【解決手段】  遊技制御に用いる所定のデータ、例えば図柄変動用画像データ等を記憶するハードディスク記憶装置６１をハードディスク収容ケース６３内に収容し、このハードディスク収容ケース６３を、緩衝部材６４を介して遊技機本体１の所定箇所、例えば図柄制御基板５１を収容した図柄制御基板ケース５２の外側に装着したものである。【選択図】  図５
2005144025.tif 000002
【特許請求の範囲】
【請求項１】
遊技制御に用いる所定のデータを記憶するハードディスク記憶装置（６１）を、緩衝部材（６４）を介して遊技機本体（１）の所定箇所に装着したことを特徴とする遊技機。
【請求項２】
前記ハードディスク記憶装置（６１）をハードディスク収容ケース（６３）内に収容し、該ハードディスク収容ケース（６３）を前記緩衝部材（６４）を介して前記遊技機本体（１）の所定箇所に装着したことを特徴とする請求項１に記載の遊技機。
【請求項３】
所定の制御基板（５１）を制御基板ケース（５２）に収容し、前記ハードディスク収容ケース（６３）を前記緩衝部材（６４）を介して前記制御基板ケース（５２）の外側に装着すると共に、前記ハードディスク記憶装置（６１）と前記制御基板（５１）とを電気的に接続したことを特徴とする請求項２に記載の遊技機。
【請求項４】
前記ハードディスク記憶装置（６１）を、ハードディスク装着基板（６２）に装着した状態で前記ハードディスク収容ケース（６３）内に収容したことを特徴とする請求項２又は３に記載の遊技機。
【請求項５】
前記ハードディスク記憶装置（６１）を、緩衝部材（６４）を介して前記ハードディスク装着基板（６２）に装着したことを特徴とする請求項４に記載の遊技機。
【請求項６】
前記緩衝部材（６４）を、少なくとも前記ハードディスク収容ケース（６３）の上下両側に対応して配置したことを特徴とする請求項２〜５の何れかに記載の遊技機。
【請求項７】
所定の制御基板（５１）を制御基板ケース（５２）に収容し、前記ハードディスク記憶装置（６１）を前記緩衝部材（６４）を介して前記制御基板ケース（５２）の外側に装着すると共に、前記ハードディスク記憶装置（６１）と前記制御基板（５１）とを電気的に接続したことを特徴とする請求項１に記載の遊技機。
【請求項８】
所定の制御基板（５１）を制御基板ケース（５２）に収容し、前記ハードディスク記憶装置（６１）を前記緩衝部材（６４）を介して前記制御基板（５１）と前記制御基板ケース（５２）との少なくとも一方に装着したことを特徴とする請求項１に記載の遊技機。
【請求項９】
前記緩衝部材（６４）と前記ハードディスク記憶装置（６１）との間に、前記ハードディスク記憶装置（６１）を着脱自在に保持する保持手段（８１）を配置したことを特徴とする請求項７又は８に記載の遊技機。
【請求項１０】
遊技図柄の変動表示が可能な図柄表示手段（２９）と、該図柄表示手段（２９）の表示制御を行う図柄制御手段とを備え、前記制御基板（５１）に前記図柄制御手段が設けられ、前記ハードディスク記憶装置（６１）に前記図柄制御手段による表示制御に用いる図柄変動用画像データを記憶したことを特徴とする請求項２〜９の何れかに記載の遊技機。
【発明の詳細な説明】
【技術分野】
【０００１】
本発明は、パチンコ機、アレンジボール機、スロットマシン等の遊技機に関するものである。
【背景技術】
【０００２】
パチンコ機、アレンジボール機等の弾球遊技機やスロットマシン等の各種遊技機においては、決められたゲーム性の範囲内でより強く遊技者の興味を引きつけるべく、演出内容の多様化、複雑化、高品位化が進んでいる。特に、液晶表示手段等を用いたアニメーションによる図柄変動表示、その他の演出表示を行う遊技機の場合には、表示パターンの多様化、複雑化、表示画面の大型化や高精細化に加え、キャラクターの形状や動作等をよりリアルに見せるために３次元立体画像が用いられる場合もある（例えば特許文献１）。
【特許文献１】特開２００１−２７６３５７号公報
【発明の開示】
【発明が解決しようとする課題】
【０００３】
このような表示演出の多様化、複雑化、高品位化等により、画像データ量は増加する一方であり、それに伴ってそれら画像データを記憶するための記憶手段の大容量化が進行している。言うまでもなく、記憶手段はその記憶容量が大きいものほど高価であり、従来と同じように画像データ等の記憶手段として半導体メモリを用いる場合には、遊技機のコストアップは避けられない。
【０００４】
なお、このデータ量の増加に伴う記憶手段の大容量化によるコストアップの問題は、画像データに関してだけでなく、音声データ等の各種演出用データ等についても同様である。
【０００５】
このような問題点を解決するため、例えば半導体メモリよりも大容量化が容易で且つ単位容量当たりの単価が低いハードディスク記憶装置を演出用データ等の記憶手段として用いることが考えられるが、ハードディスク記憶装置は円形のプラッタを高速で回転駆動しつつヘッドで読み取りを行う方式のため、振動や衝撃に弱く、僅かな振動によっても読み取りエラーを生じたり、ハードディスク上の記憶データだけでなくハードディスク記憶装置自体も使用不能となる可能性がある。
【０００６】
本発明は、このような従来の問題点に鑑み、コストアップを抑えつつ記憶手段の大容量化を実現し、且つ振動等に対する信頼性を確保し得る遊技機を提供することを目的とする。
【課題を解決するための手段】
【０００７】
本発明の遊技機は、遊技制御に用いる所定のデータを記憶するハードディスク記憶装置６１を、緩衝部材６４を介して遊技機本体１の所定箇所に装着したものである。
【発明の効果】
【０００８】
本発明によれば、遊技制御に用いる所定データ、例えば画像データの記憶手段として、半導体メモリよりも大容量化が容易で且つ単位容量当たりの単価が低いハードディスク記憶装置６１を用いているため、表示パターンの多様化、複雑化、表示画面の大型化や高精細化、３次元立体画像の使用等により画像データ量等が増加しても、それに伴う記憶容量の増大によるコストアップを低く抑えることができる。
【０００９】
また、ハードディスク記憶装置６１は、緩衝部材６４を介して遊技機本体１側に装着されているため、遊技機本体１側からの振動は緩衝部材６４により緩衝されてハードディスク記憶装置６１側の振動が抑制されることによりハードディスク記憶装置６１の読み取りエラー等の不具合を防止でき、振動等に対する高い信頼性を確保できる。
【発明を実施するための最良の形態】
【００１０】
以下、本発明の実施形態を図面に基づいて詳述する。図１〜図６は本発明をパチンコ機として具現化した第１の実施形態を例示している。図１〜図３において、１は遊技機本体で、矩形状の外枠２と、この外枠２の前側に開閉自在に枢着された前枠３とを備えている。４はガラス扉、５は前面板で、これらは前枠３の窓孔６に対応して上下に配置され、前枠３に開閉自在に枢支されている。
【００１１】
７は発射用の遊技球を貯留する上皿で、前面板５の前側に装着され、上皿カバー８により覆われている。上皿カバー８には、スピーカー等の音声出力手段９からの音声を前側に出力する例えばスリット状の音声出力部８ａが形成されている。
【００１２】
また、１０は余剰球等を貯留する下皿で、前面板５の下側で前枠３の前側に配置され、下皿カバー１１により覆われている。１２は遊技盤で、前枠３の窓孔６に対応するように、前枠３の裏側に設けられた遊技盤装着枠１２ａに対して裏側から着脱自在に装着されている。
【００１３】
１３は発射手段で、下皿１０の一側で前枠３の前側に設けられた発射ハンドル１４、前面板５の後方に配置された発射レール１５、前枠３の裏側に配置された発射モータ１６及び打撃槌１７等を備え、発射ハンドル１４を操作したときに、発射モータ１６により打撃槌１７が作動して、前面板５の裏側に装着された図外の球送り手段により上皿７から発射レール１５上に１個ずつ供給される遊技球を遊技盤１２側に発射させるようになっている。
【００１４】
発射ハンドル１４、発射モータ１６、打撃槌１７等は、取り付け板１８を介して前枠３の裏面側に着脱可能に装着されている。また例えば発射モータ１６の裏側には、発射手段１３を制御する発射制御基板１９が、発射制御基板ケース２０に収容された状態で着脱自在に装着されている。
【００１５】
遊技盤１２の前面側には、発射手段１３により発射された遊技球を案内するガイドレール２１が略環状に装着されると共に、そのガイドレール２１の内側の遊技領域２２内には、中央表示装置２３、特別図柄始動手段２４、大入賞手段２５、普通図柄始動手段２６、普通入賞手段２７等の各種遊技部品が配置されている。
【００１６】
中央表示装置２３は、遊技盤１２に前面側から装着されたセンターケース２８と、このセンターケース２８の略中央に配置された例えば液晶式の特別図柄表示手段（図柄表示手段）２９とを備えている。センターケース２８の前側には、普通図柄表示手段３０、ランプ３１等が設けられている。
【００１７】
普通図柄表示手段３０は、１個又は複数個、例えば１個の普通図柄を表示可能な７セグメント式等の表示手段により構成され、通過ゲート等よりなる普通図柄始動手段２６が遊技球を検出することを条件に、普通図柄が乱数制御により所定時間変動して、予め定められた当たり態様又はそれ以外の外れ態様で停止するようになっている。
【００１８】
特別図柄始動手段２４は、例えば開閉自在な左右一対の開閉爪２４ａを備えた電動チューリップ等の開閉入賞手段により構成されており、普通図柄表示手段３０の変動後の停止図柄が予め定められた当たり態様となることを条件に開閉爪２４ａを所定時間開放するようになっている。
【００１９】
特別図柄表示手段２９は、１個又は複数個、例えば左右方向に３個の特別図柄（遊技図柄）を変動表示可能に構成され、特別図柄始動手段２４が遊技球を検出することを条件に、特別図柄が所定の変動パターンに従って変動し、所定の大当たり態様又はそれ以外の外れ態様となるように左、右、中等の所定の順序で停止するようになっている。
【００２０】
大入賞手段２５は、いわゆるアタッカーを構成するもので、例えば下部側の横軸廻りに開閉可能な開閉板２５ａを備えた開閉入賞手段により構成されており、特別図柄表示手段２９の変動後の停止図柄が予め定められた大当たり態様となることを条件に開閉板２５ａが前側に開放するようになっている。
【００２１】
前枠３の裏側には、図３に示すように、遊技盤装着枠１２ａに装着された遊技盤１２を裏側から押さえて固定する裏機構板３２が、左右一端側のヒンジ３２ａを介して開閉自在に装着されている。裏機構板３２には、遊技盤１２の裏側の裏カバー３３が嵌合する開口部３４が形成され、その上側に遊技球タンク３５及びタンクレール３６が、左右方向の一側に払い出し手段３７が、下側に通路ユニット３８が夫々設けられている。
【００２２】
遊技球タンク３５は、遊技島側の遊技球補給系から補給された遊技球を貯留して、タンクレール３６を経て払い出し手段３７側へと供給するためのものである。払い出し手段３７は、賞球、貸球の払い出し指令があったときに、遊技球タンク３５からタンクレール３６を経て供給される遊技球を払い出すためのもので、裏機構板３２の裏側に着脱自在に装着されている。通路ユニット３８は、払い出し手段３７により払い出された遊技球を上皿７へと案内し、また上皿７が満杯状態のときに、余剰球を下皿１０へと案内するように構成されている。
【００２３】
裏カバー３３は、遊技盤１２に装着された中央表示装置２３等の複数の遊技部品を裏側から覆うためのもので、その背面側には、音声出力手段９等からの音声出力を制御する音声制御基板３９、及びランプ３１等の発光を制御するランプ制御基板４０を例えば左右に収容する音声・ランプ制御基板ケース４１と、遊技盤１２側の遊技動作を制御する主制御基板４２を収容する主制御基板ケース４３とが着脱自在に装着されている。
【００２４】
また、通路ユニット３８の裏側には、各基板等への電源の供給を行う電源基板４４、及び払い出し手段３７の制御を行う払い出し制御基板４５を例えば左右に収容する電源・払い出し制御基板ケース４６が、ケース取り付け板４７を介して着脱自在に装着されている。
【００２５】
裏カバー３３の内側の例えば中央表示装置２３の背面側には、図２、図４及び図５に示すように、図柄制御基板（制御基板）５１を収容する開閉可能な図柄制御基板ケース（制御基板ケース）５２が、ねじ止め、その他の固定方法により着脱自在に装着されている。図柄制御基板５１は、普通図柄表示手段３０、特別図柄表示手段２９等の表示制御を行う図柄制御手段を構成している。
【００２６】
図柄制御基板ケース５２は、前側が開放した略矩形箱型の第１ケース部５３と、その第１ケース部５３の前側を着脱自在に閉鎖する略平板状の第２ケース部５４とを備え、図柄制御基板５１の周縁部の少なくとも一部を第１ケース部５３の周縁部と第２ケース部５４の周縁部とで前後に挟み込んだ状態で、互いにねじ止め等により着脱自在に固定されている。第１ケース部５３には、図柄制御基板５１側に設けられた基板側コネクタ５５に対応するコネクタ用開口部５６が１又は複数形成されている。
【００２７】
図柄制御基板ケース５２の外側、例えば背面５２ａ側には、ハードディスク記憶装置６１を装着したハードディスク装着基板６２を収容する開閉可能なハードディスク収容ケース６３が、緩衝部材６４を介して固定されている。ハードディスク記憶装置６１には、図柄制御基板５１の図柄制御手段による表示制御に用いられる図柄変動用画像データ等が予め記憶されている。
【００２８】
ハードディスク収容ケース６３は、前側が開放した略矩形箱型の第１ケース部６５と、その第１ケース部６５の前側を着脱自在に閉鎖する略平板状の第２ケース部６６とを備え、ハードディスク装着基板６２の周縁部の少なくとも一部を第１ケース部６５の周縁部と第２ケース部６６の周縁部とで前後に挟み込んだ状態で、互いにねじ止め等により着脱自在に固定されている。第１ケース部６５には、ハードディスク装着基板６２側に設けられた基板側コネクタ６７に対応するコネクタ用開口部６８が１又は複数形成されている。
【００２９】
図柄制御基板ケース５２とハードディスク収容ケース６３との間に配置される緩衝部材６４は、例えば平板状に形成されたシリコンゴム、ウレタンゴム、フッ素ゴム等の弾性部材により構成されており、その前面側が図柄制御基板ケース５２の背面５２ａに、後面側がハードディスク収容ケース６３の前面６３ａに、夫々接着剤６９により接着・固定されている。
【００３０】
この緩衝部材６４の配置形状については、ハードディスク収容ケース６３の前面６３ａの略全面に対応する略矩形状（図６（ａ））に配置する構成の他、ハードディスク収容ケース６３の前面６３ａの周縁部に沿ってその内側に所定幅で配置する構成（図６（ｂ））、ハードディスク収容ケース６３の前面６３ａの上縁部及び下縁部に沿って平行に配置する構成（図６（ｃ））、ハードディスク収容ケース６３の前面６３ａの左右の縁部に沿って平行に配置する構成（図６（ｄ））、ハードディスク収容ケース６３の前面６３ａ上の少なくとも３箇所、例えば四隅近傍に夫々所定の形状、大きさで配置する構成（図６（ｅ））等、どのような構成を採用してもよい。
【００３１】
また、図柄制御基板５１側の基板側コネクタ５５とハードディスク装着基板６２側の基板側コネクタ６７には、フラットケーブル７０の両端に設けられたケーブル側コネクタ７０ａ，７０ｂが夫々着脱自在に接続されており、図柄制御基板５１の図柄制御手段はこのフラットケーブル７０、ハードディスク装着基板６２を介してハードディスク記憶装置６１にアクセス可能となっている。
【００３２】
なお、ハードディスク記憶装置６１を交換する場合には、そのハードディスク記憶装置６１が装着されたハードディスク装着基板６２を交換すればよく、ハードディスク収容ケース６３や図柄制御基板ケース５２等を同時に交換する必要はない。また、ハードディスク記憶装置６１をハードディスク装着基板６２に対して着脱可能に装着すれば、ハードディスク記憶装置６１のみを交換できる。
【００３３】
以上のように、本実施形態のパチンコ機では、図柄制御手段の記憶手段として、半導体メモリよりも大容量化が容易で且つ単位容量当たりの単価が低いハードディスク記憶装置６１を用いているため、特別図柄表示手段等における図柄変動パターンの多様化、複雑化、特別図柄表示手段２９の表示画面の大型化や高精細化、３次元立体画像の使用等により表示データ量が増加しても、それに伴う記憶容量の増大によるコストアップを低く抑えることができる。
【００３４】
また、ハードディスク記憶装置６１は、緩衝部材６４を介して遊技機本体１側に装着されているため、遊技機本体１側からの振動は緩衝部材６４により緩衝されてハードディスク記憶装置６１側の振動が抑制されることによりハードディスク記憶装置６１の読み取りエラー等の不具合を防止でき、振動等に対する高い信頼性を確保できる。
【００３５】
図７及び図８は本発明の第２の実施形態を例示し、第１の実施形態における図柄制御基板ケース５２とハードディスク収容ケース６３との間の固定構造を変更した例を示している。
【００３６】
本実施形態のパチンコ機においては、図７及び図８に示すように、図柄制御基板ケース５２とハードディスク収容ケース６３とは、固定支持部材７１と緩衝部材６４とを介して互いに固定されている。
【００３７】
固定支持部材７１は、図柄制御基板ケース５２の背面５２ａに例えば上下一対となるように設けられており、例えば図柄制御基板ケース５２の背面５２ａにねじ止め等により着脱自在に固定される取り付け部７２と、この取り付け部７２から後方に向けて略水平に突出する保持部７３とを例えば一体に備え、互いの保持部７３，７３が上下に所定距離を置いて対向するように配置されている。
【００３８】
ハードディスク収容ケース６３は、上下の固定支持部材７１の保持部７３，７３間に配置され、その上面６３ｂと上側の保持部７３、下面６３ｃと下側の保持部７３が夫々緩衝部材６４を介して互いに固定されている。緩衝部材６４は、例えば平板状に形成されており、その両面が接着剤６９により保持部７３側及びハードディスク収容ケース６３側に接着・固定されている。
【００３９】
なお、ハードディスク収容ケース６３の上下の緩衝部材６４は、少なくともハードディスク収容ケース６３側の重心位置の鉛直方向を含む位置に設けることが望ましい。図柄制御基板ケース５２、ハードディスク収容ケース６３を含むその他の構成については第１の実施形態と同様である。
【００４０】
第１の実施形態のような構成の場合、ハードディスク記憶装置６１を含むハードディスク収容ケース６３側の重心位置が緩衝部材６４による固定位置よりも後方に大きく偏倚するため、例えば上下方向の低周波振動に対する共振が問題となる。その点、本実施形態のような構成とすることで、緩衝部材６４の位置とハードディスク収容ケース６３側の重心位置との水平方向の位置ずれを解消でき、上下方向等の低周波振動に対する共振の問題を解決できる。
【００４１】
図９及び図１０は本発明の第３の実施形態を例示し、ハードディスク記憶装置６１を緩衝部材６４を介して図柄制御基板ケース５２の外側に装着すると共に、ハードディスク記憶装置６１と図柄制御基板５１とを電気的に接続した例を示している。
【００４２】
図柄制御基板ケース５２の外側、例えば背面５２ａには、緩衝部材６４を介してハードディスク保持部材（保持手段）８１が固定されている。
【００４３】
ハードディスク保持部材８１は、例えば略矩形状の固定板部８２とその両側の保持板部８３，８３とで断面略コの字型に形成されており、例えば保持板部８３，８３を上下に配置した状態で固定板部８２が緩衝部材６４を介して図柄制御基板ケース５２の背面５２ａに固定されている。
【００４４】
緩衝部材６４は、例えば平板状に形成されており、その前面側と図柄制御基板ケース５２の背面５２ａとの間、及び後面側とハードディスク保持部材８１の固定板部８２との間が接着剤６９により接着・固定されている。
【００４５】
ハードディスク記憶装置６１は、ハードディスク保持部材８１の上下の保持部８３，８３間に配置され、例えばその上下両側面において保持部８３に対してねじ止め等により着脱自在に保持されている。ハードディスク記憶装置６１からはフラットケーブル８４が引き出されており、そのフラットケーブル８４の端部に設けられたケーブル側コネクタ８５が図柄制御基板５１側の基板側コネクタ５５に着脱自在に接続されており、図柄制御基板５１の図柄制御手段はこのフラットケーブル８４を介してハードディスク記憶装置６１にアクセス可能となっている。
【００４６】
以上のような構成により、第１の実施形態と同様、遊技機本体１側からの振動は緩衝部材６４により緩衝されてハードディスク記憶装置６１側の振動が抑制されることによりハードディスク記憶装置６１の読み取りエラー等の不具合を防止でき、振動等に対する高い信頼性を確保できると共に、ハードディスク収容ケース６３やハードディスク装着基板６２の省略によりコストを削減できる。また、緩衝部材６４とハードディスク記憶装置６１との間に、ハードディスク記憶装置６１を着脱自在に保持するハードディスク保持部材８１が配置されているため、ハードディスク記憶装置６１を交換する際に図柄制御基板ケース５２を同時に交換する必要が無く、ハードディスク記憶装置６１交換時のコストも削減できる。
【００４７】
図１１は本発明の第４の実施形態を例示し、ハードディスク記憶装置６１を緩衝部材６４を介して図柄制御基板５１に装着した例を示している。
【００４８】
本実施形態では、ハードディスク記憶装置６１は、図柄制御手段を構成する図柄制御基板５１と共に図柄制御基板ケース５２に収容され、厚み方向の両面側において夫々緩衝部材６４を介して図柄制御基板５１側と図柄制御基板ケース５２側との双方に固定されている。即ち、ハードディスク記憶装置６１は、厚み方向の両面側から緩衝部材６４，６４によって狭持されている。図柄制御基板５１は、第１の実施形態等と同様、図柄制御基板ケース５２側に固定されている。
【００４９】
一対の緩衝部材６４，６４は、夫々例えば平板状に形成されており、図柄制御基板５１とハードディスク記憶装置６１、図柄制御基板ケース５２とハードディスク記憶装置６１に固定されている。なお、緩衝部材６４の配置形状については、図６に示したもの等、どのような構成を採用してもよい。
【００５０】
以上のような構成とすることにより、第１の実施形態等と同様、遊技機本体１側からの振動は緩衝部材６４により緩衝されてハードディスク記憶装置６１側の振動が抑制されることによりハードディスク記憶装置６１の読み取りエラー等の不具合を防止でき、振動等に対する高い信頼性を確保できると共に、図柄制御基板５１と離れてハードディスク記憶装置６１を配置する場合と比べて構成を簡単にでき、更なるコスト削減が可能である。
【００５１】
なお、緩衝部材６４とハードディスク記憶装置６１との間に、ハードディスク記憶装置６１を着脱自在に保持するハードディスク保持部材を配置すれば、ハードディスク記憶装置６１を交換する際に図柄制御基板５１や図柄制御基板ケース５２ごと交換する必要が無く、ハードディスク記憶装置６１交換時のコストも削減できる。
【００５２】
また、ハードディスク記憶装置６１は、緩衝部材６４を介して図柄制御基板５１側と図柄制御基板ケース５２側との何れか一方にのみ固定してもよい。
【００５３】
以上、本発明の実施形態について詳述したが、本発明はこの実施形態に限定されるものではなく、本発明の趣旨を逸脱しない範囲内で種々の変更が可能である。例えば、第１の実施形態のように、ハードディスク記憶装置６１をハードディスク装着基板６２に装着した状態でハードディスク収容ケース６３内に収容する場合、ハードディスク記憶装置６１を、緩衝部材６４を介してハードディスク装着基板６２に装着してもよい。
【００５４】
第２の実施形態の場合、ハードディスク記憶装置６１の上下両側だけでなく左右両側も緩衝部材６４を介して固定支持部材７１側に固定するようにしてもよい。
【００５５】
実施形態では、ハードディスク記憶装置６１に図柄制御手段による表示制御に用いる図柄変動用画像データを記憶した例を示したが、これに限られるものではなく、音声制御基板３９上の音声制御手段による音声出力制御に用いる音声データ等、その他の演出用データをハードディスク記憶装置６１に記憶するように構成してもよい。この場合には、ハードディスク記憶装置６１は、その演出用データを直接使用する制御基板、例えば音声制御基板３９等、又はその制御基板を収容する基板ケース、例えば音声・ランプ制御基板ケース４１等に緩衝部材６４を介して装着すればよい。
【００５６】
なお、実施形態では本発明をパチンコ機に採用した例を示したが、アレンジボール機、雀球遊技機等のパチンコ機以外の弾球遊技機の他、回胴式遊技機等の各種遊技機においても同様に実施可能であることは言うまでもない。
【図面の簡単な説明】
【００５７】
【図１】本発明の第１の実施形態を示すパチンコ機の正面図である。
【図２】本発明の第１の実施形態を示すパチンコ機の側面図である。
【図３】本発明の第１の実施形態を示すパチンコ機の裏面図である。
【図４】本発明の第１の実施形態を示す図柄制御基板ケース及びハードディスク収容ケースの裏面図である。
【図５】本発明の第１の実施形態を示す図柄制御基板ケース及びハードディスク収容ケースの縦断面図である。
【図６】本発明の第１の実施形態を示す緩衝部材の形状及び配置の一例である。
【図７】本発明の第２の実施形態を示す図柄制御基板ケース及びハードディスク収容ケースの裏面図である。
【図８】本発明の第２の実施形態を示す図柄制御基板ケース及びハードディスク収容ケースの縦断面図である。
【図９】本発明の第３の実施形態を示す図柄制御基板ケース及びハードディスク記憶装置の裏面図である。
【図１０】本発明の第３の実施形態を示す図柄制御基板ケース及びハードディスク記憶装置の縦断面図である。
【図１１】本発明の第４の実施形態を示す図柄制御基板ケースの縦断面図である。
【符号の説明】
【００５８】
１  遊技機本体
２９  特別図柄表示手段（図柄表示手段）
５１  図柄制御基板（制御基板）
５２  図柄制御基板ケース（制御基板ケース）
６１  ハードディスク記憶装置
６２  ハードディスク装着基板
６３  ハードディスク収容ケース
６４  緩衝部材
８１  ハードディスク保持部材（保持手段）
【図１】
2005144025.tif 000003
【図２】
2005144025.tif 000004
【図３】
2005144025.tif 000005
【図４】
2005144025.tif 000006
【図５】
2005144025.tif 000007
【図６】
2005144025.tif 000008
【図７】
2005144025.tif 000009
【図８】
2005144025.tif 000010
【図９】
2005144025.tif 000011
【図１０】
2005144025.tif 000012
【図１１】
2005144025.tif 000013